(57)【要約】【課題】凝着しているような接点付着粉塵を、効率良く短時間に除去するエレベータの制御装置を提供する。【解決手段】エレベータの制御装置は、機械的な接点（９）を有する電磁接触器（１０）と、接点に直列接続するブレーキコイル部（８）を有するとともに、接点が開状態になるとブレーキコイル部に流れるコイル電流が遮断されて制動力を発生し、接点が閉状態になるとコイル電流が通電されて制動力を解除するようにブレーキ手段（６）を駆動するブレーキ駆動手段（７）と、ブレーキコイル部と接点との直列回路の両端に電圧を印加する電圧印加手段（１１）と、電磁接触器に接点開閉指令を出力する接点開閉指令出力手段（１２）と、接点でアーク放電を発生させるような第１の電圧を直列回路の両端に印加した状態で、接点開閉指令出力手段から接点開閉指令を出力することにより接点を開閉する制御手段（１５）と、を備える。【選択図】図１
2008213952.tif 000002
【特許請求の範囲】
【請求項１】
エレベータのかごを昇降駆動する巻上電動機を制動する制動力を発生するブレーキ手段を駆動するエレベータの制御装置において、
機械的な接点を有する電磁接触器と、
上記接点に直列接続するブレーキコイル部を有するとともに、上記接点が開状態になると上記ブレーキコイル部に流れるコイル電流が遮断されて制動力を発生し、上記接点が閉状態になると上記コイル電流が通電されて上記制動力を解除するように上記ブレーキ手段を駆動するブレーキ駆動手段と、
上記ブレーキコイル部と上記接点との直列回路の両端に電圧を印加する電圧印加手段と、
上記電磁接触器に接点開閉指令を出力する接点開閉指令出力手段と、
上記接点でアーク放電を発生させるような第１の電圧を上記直列回路の両端に印加した状態で、上記接点開閉指令出力手段から上記接点開閉指令を出力することにより上記接点を開閉する制御手段と、
を備えることを特徴とするエレベータの制御装置。
【請求項２】
上記接点の開閉状態を検出する接点開閉検出手段と、
上記接点の開閉状態と上記接点開閉指令とに基づいて上記接点の通電不良を検出する不良検出手段と、
を備え、
上記制御手段は、上記通電不良を検出した場合に、上記第１の電圧を上記直列回路の両端に印加した状態で、上記接点開閉指令出力手段から上記接点開閉指令を出力することにより上記接点を開閉することを特徴とする請求項１に記載のエレベータの制御装置。
【請求項３】
上記制御手段は、上記第１の電圧を印加した状態で上記接点を開放した後で上記通電不良を検出した場合に、上記第１の電圧より高い第２の電圧を上記直列回路の両端に印加した状態で、上記接点開閉指令を出力することにより上記接点を開閉することを特徴とする請求項２に記載のエレベータの制御装置。
【発明の詳細な説明】
【技術分野】
【０００１】
この発明は、エレベータの制御装置に関するものである。
【背景技術】
【０００２】
エレベータの制御装置は、エレベータのかごを目的階に走行させた後に停止させるという運行動作を繰り返す中、ブレーキ手段をかご走行中には開放し、停止中には拘束する。このブレーキ手段の拘束または開放は、ブレーキコイル部に直列接続した電磁接触器の機械的な接点を開閉し、ブレーキコイル部に流れるコイル電流を遮断または通電することによって行われる。一般に、接点を開状態にしてコイル電流を遮断することでブレーキ手段は拘束され、かごを昇降駆動する巻上電動機を制動する制動力を発生する。反対に、接点を閉状態にしてコイル電流を通電することでブレーキ手段は開放され、制動力を解除する。
【０００３】
このブレーキ手段を長年に亘って用いると、電磁接触器の接点表面には粉塵が付着し始め、この粉塵によって接点を十分に閉じ切ることができない場合がある。このとき、コイル電流を十分に流すことができないという接点通電不良が発生するためにブレーキ手段を開放できなくなり、結果として、常に巻上電動機に制動力がかかることになり、時にはエレベータが完全に走行不可能になるということがある。
【０００４】
そこで、従来のエレベータの制御装置は、電磁接触器の接点の接点通電不良を検出する不良検出手段と、通電不良が発生している接点の開閉動作によらずにブレーキ手段の開放を阻止できるブレーキ開放阻止手段と、接点の通電不良を検出した場合には接点を周期的に開閉運動させる制御手段と、を備えている。そして、不良検出手段により接点の通電不良を検出した場合には、ブレーキ開放阻止手段を駆動させてエレベータのかごを安定保持しながら、通電不良が検出された接点を周期的に開閉運動させて接点同士を擦り付け振動させることにより接点表面に付着する粉塵（以下、「接点付着粉塵」と称す）を除去する接点通電不良解消動作を行っている（例えば、特許文献１参照）。
【０００５】
【特許文献１】特開２００５−２０６３２５号公報
【発明の開示】
【発明が解決しようとする課題】
【０００６】
しかし、従来のエレベータの制御装置では、接点付着粉塵を接点同士の擦り付けおよび振動によって粉塵を除去しているため、例えば、凝集しているような粉塵は容易には除去できず、粉塵を完全に除去するまでにはかなりの時間を要するという問題がある。
また、このようなブレーキ手段の拘束または開放につながる接点の周期的な開閉運動が長時間に亘ると、一般構造のブレーキ手段ではエレベータのかごがずり落ちるという問題が懸念されることから、接点の開閉動作によらずにブレーキ手段の開放を阻止できるブレーキ開放阻止手段を備えている必要がある。
【０００７】
この発明の目的は、凝着しているような接点付着粉塵を、効率良く短時間に除去するエレベータの制御装置を提供することである。
【課題を解決するための手段】
【０００８】
この発明に係わるエレベータの制御装置は、エレベータのかごを昇降駆動する巻上電動機を制動する制動力を発生するブレーキ手段を駆動するエレベータの制御装置において、
機械的な接点を有する電磁接触器と、上記接点に直列接続するブレーキコイル部を有するとともに、上記接点が開状態になると上記ブレーキコイル部に流れるコイル電流が遮断されて制動力を発生し、上記接点が閉状態になると上記コイル電流が通電されて上記制動力を解除するように上記ブレーキ手段を駆動するブレーキ駆動手段と、上記ブレーキコイル部と上記接点との直列回路の両端に電圧を印加する電圧印加手段と、上記電磁接触器に接点開閉指令を出力する接点開閉指令出力手段と、上記接点でアーク放電を発生させるような第１の電圧を上記直列回路の両端に印加した状態で、上記接点開閉指令出力手段から上記接点開閉指令を出力することにより上記接点を開閉する制御手段と、を備える。
【発明の効果】
【０００９】
この発明に係わるエレベータの制御装置の効果は、制御手段がブレーキコイル部と接点との直列回路の両端に接点でアーク放電を発生させるような第１の電圧を印加した状態で接点を開閉するので、接点の開閉時には接点でアーク放電が発生する。このアーク放電により生成する熱によって接点付着粉塵を溶融し蒸発させて除去するため、粉塵除去を効率良く短時間に行うことができることである。
【発明を実施するための最良の形態】
【００１０】
図１は、この発明の実施の形態に係わるエレベータの制御装置が配置されたエレベータ装置の構成を表すブロック図である。
この発明に係わるエレベータ装置は、乗客を乗せるかご１、かご１とロープ２により繋がれた釣り合い錘３、ロープ２を巻き掛けられたシーブ４、シーブ４に動力を伝えてかご１を昇降する巻上電動機５およびエレベータの制御装置を備える。
【００１１】
エレベータの制御装置は、かご走行時に巻上電動機５の動きを開放するとともにかご停止時に巻上電動機５の動きを制動してかご１の位置を保持するブレーキ手段６、ブレーキ手段６を駆動する駆動力をブレーキコイル部８を用いた電磁石によって発生するブレーキ駆動手段７、ブレーキコイル部８に流れるコイル電流を遮断または通電する機械的な接点９を有する電磁接触器１０、および、ブレーキコイル部８と接点９との直列回路の両端に電圧を印加する電圧印加手段１１を備える。
【００１２】
また、エレベータの制御装置は、接点９の接点開閉指令を出力する接点開閉指令出力手段１２、接点９の開閉状態を検出する接点開閉検出手段１３、接点９の接点開閉指令が閉であるときに接点９の通電不良を検出する不良検出手段１４、電圧印加手段１１および接点開閉指令出力手段１２に指令を与える制御手段１５、および制御手段１５に従って接点通電不良の検出回数または接点通電不良のイベント発生を報知する報知手段１７を備える。
【００１３】
電圧印加手段１１は、例えば、制御手段１５で設定された設定電圧値で電圧を供給する可変電圧電源２１、制御手段１５からの電圧印加指令に基づいてブレーキコイル部８と接点９との直列回路の両端に可変電圧電源２１からの供給電圧の印加を切り換える半導体スイッチ２２を備える。
【００１４】
接点開閉検出手段１３は、例えば、電磁接触器１０の接点９の開閉にともなってスイッチの開閉がなされるように設置された図示しない機械的なスイッチ、この機械的なスイッチの開閉状態に基づいて検出した接点９の開閉状態を示す接点開閉検出信号を出力する図示しない出力部を備える。なお、接点９の開閉状態を検出する方法としては、機械的なスイッチ以外に、ブレーキコイル部８に流れるコイル電流を測定する電流センサを用いて検出する方法であっても良い。
【００１５】
図２は、この発明の実施の形態に係わるエレベータの制御装置の動作の概要を示すフローチャートである。
次に、実施の形態に係わるエレベータの制御装置の動作について概要を説明するが、主として電磁接触器１０の接点９に係わる動作について説明する。
エレベータの制御装置の動作としては、大きく分けると、ステップＳ１の通常運行サービス、ステップＳ３の接点通電不良検出動作、ステップＳ５の接点通電不良解消動作の３つである。
【００１６】
ステップＳ１で、エレベータの通常運行サービスを実行する。このとき、制御手段１５は、かご１を目的階に走行させた後に停止させる運行動作を繰り返すために、ブレーキ駆動手段７を用いて巻上電動機５を開放または拘束する。かご走行中はブレーキ手段６を開放し、停止中はブレーキ手段６を拘束するように電磁接触器１０の接点９を用いてブレーキ手段６を駆動制御する。
【００１７】
ステップＳ２で、予め設定された接点通電不良検出の実行条件に従って、ステップＳ３の接点通電不良検出動作を実行するか、ステップＳ１に戻って通常運行サービスを実行するかを判断する。接点通電不良検出の実行条件としては、例えば、かご１が目的階に到着して停止する度にステップＳ３の接点通電不良検出動作を実行する、かご停止回数が予め設定された閾値の乗数倍になる度にステップＳ３の接点通電不良検出動作を実行するかなどの条件である。その他、乗客が乗っていないような深夜にだけ実行するという条件であっても良い。
【００１８】
ステップＳ３で、接点通電不良検出動作を実行する。
ステップＳ４で、ステップＳ３の接点通電不良検出動作の実行結果を受けて、接点通電不良が検出されない場合にはステップＳ１に戻ってエレベータの通常運行サービスを実行し、接点通電不良が検出された場合にはステップＳ５に進む。
ステップＳ５では、検出された接点通電不良を解消する接点通電不良解消動作を実行する。
ステップＳ６で、接点通電不良検出回数などの条件に基づいて、ステップＳ３の接点通電不良検出動作を繰り返し実行するか、エレベータ装置の停止に進むかを判断する。
【００１９】
次に、主として電磁接触器１０の接点９に関して、通常運行サービス、接点通電不良検出動作、接点通電不良解消動作の３つの動作について説明する。
（１）通常運行サービス
通常運行サービスのとき、エレベータのかご１を目的階に走行させることと、停止させることとを繰り返し、制御手段１５は、電圧印加手段１１がブレーキコイル部８と接点９との直列回路の両端に印加している電圧の印加を停止してコイル電流を遮断することでブレーキ手段６を拘束することと、直列回路の両端に電圧を印加してコイル電流を通電することでブレーキ手段６を開放することとを繰り返す。
【００２０】
図３は、通常運行サービスにおけるブレーキ関連信号のタイムチャートである。図３には、一連のシーケンスにおける、接点開閉指令出力手段１２、接点開閉検出手段１３および電圧印加手段１１の動作を表す時間波形が示される。具体的には、（Ａ）接点開閉指令出力手段１２から電磁接触器１０に出力される接点９の開閉に関する接点開閉指令、（Ｂ）接点開閉検出手段１３から出力される接点９の開閉状態を示す接点開閉検出信号、（Ｃ）コイル電流を通電するためにブレーキコイル部８と接点９との直列回路の両端に電圧を印加する電圧印加手段１１の電圧印加タイミングを決定する電圧印加指令を示す。
接点開閉指令は、ＨＩＧＨのとき閉指令、ＬＯＷのとき開指令である。また、接点開閉検出信号は、ＨＩＧＨのとき接点９が閉じており、ＬＯＷのとき接点９が開いていることを示す。また、電圧印加指令は、ＨＩＧＨのとき電圧を印加し、ＬＯＷのとき電圧の印加を停止することを意味する。
【００２１】
次に、通常運行サービスのときのブレーキ手段６の詳細動作として、電磁接触器１０の接点９に関する通常接点動作に主眼をおいて図３を参照して説明する。
ブレーキコイル部８にコイル電流を通電しブレーキ手段６を開放することと、コイル電流を遮断しブレーキ手段６を拘束することが前後して一連のシーケンスとして繰り返される。
【００２２】
まず、ブレーキコイル部８と接点９との直列回路にコイル電流を通電し、ブレーキ手段６を開放し、巻上電動機５の動きを制動している制動力を解除する手順を説明する。
時刻Ｔ０で、接点開閉指令出力手段１２は、制御手段１５の指令に従って、電磁接触器１０に接点９に関する閉指令を出力する。
時刻Ｔ１で、電磁接触器１０は、閉指令に従って、接点９を閉鎖する。すると、接点開閉検出信号がＨＩＧＨに変化する。
時刻Ｔ２で、接点９が閉状態になっており、電圧印加手段１１は、制御手段１５の指令に従って、ブレーキコイル部８と接点９との直列回路の両端に第１の電圧を印加する。
この手順に従うことによって、コイル電流をブレーキコイル部８に通電し、ブレーキ手段６を開放し、巻上電動機５の動きを制動している制動力を解除することができる。
【００２３】
次に、ブレーキコイル部８に通電しているコイル電流を遮断し、ブレーキ手段６を拘束し、巻上電動機５の動きを制動する制動力を発生する手順を説明する。
時刻Ｔ３で、電圧印加手段１１は、制御手段１５の指令に従って、ブレーキコイル部８と接点９との直列回路の両端に印加している電圧の印加を停止する。
時刻Ｔ４で、接点開閉指令出力手段１２は、制御手段１５の指令に従って、電磁接触器１０に接点９に対する開指令を出力する。
時刻Ｔ５で、電磁接触器１０は、開指令に従って、接点９を開放する。すると、接点開閉検出信号がＬＯＷに変化する。
この手順に従うことによって、ブレーキコイル部８に通電しているコイル電流を遮断し、ブレーキ手段６を拘束し、巻上電動機５の動きを制動する制動力を発生することができる。
【００２４】
ここで説明した、通常運行サービスにおける電磁接触器１０の接点９の開閉動作と電圧印加手段１１の電圧印加動作との時間的関係は、接点９の開閉時に接点９でアーク放電が発生しないように定めたものである。すなわち、アーク放電は機械的な接点９で大電流を開閉するときに発生するため、アーク放電の発生を避けるように、ブレーキコイル部８と接点９との直列回路の両端に電圧を印加していない状態で、接点９を開閉する。
【００２５】
（２）接点通電不良検出動作
次に、接点通電不良検出動作について、図４を参照して説明する。
図４（ａ）は、接点正常時（接点通電不良非検出時）の電磁接触器１０への接点開閉指令と電磁接触器１０の接点９の開閉状態を表す接点開閉検出信号のタイムチャートである。図４（ｂ）は、接点通電不良時の電磁接触器１０への接点開閉指令と電磁接触器１０の接点９の開閉状態を表す接点開閉検出信号のタイムチャートである。
図４において、（Ａ）接点開閉指令出力手段１２から電磁接触器１０に出力される接点９に対する接点開閉指令、（Ｂ）接点開閉検出手段１３の出力である、接点９の開閉状態を表す接点開閉検出信号である。
【００２６】
不良検出手段１４により実行される接点通電不良検出の基本原理は、電磁接触器１０の接点９の開閉状態が、電磁接触器１０への接点開閉指令と異なることを検出することで接点通電不良検出を行うというものである。
【００２７】
時刻Ｔ０で、接点開閉指令出力手段１２は、制御手段１５の指令に従って、電磁接触器１０に接点９に対する接点開閉指令をＨＩＧＨとして、閉指令を出力する。
この閉指令に対して、図４（ｂ）に示すように、時刻Ｔ１を過ぎても接点開閉検出手段１３が、接点９の機械的な閉状態を検出しない場合は、電磁接触器１０に通電不良が発生したとして接点通電不良であると判断する。一方、図４（ａ）に示すように、閉指令に従って、時刻Ｔ１の前後で電磁接触器１０の接点９が閉状態になる場合は、電磁接触器１０の接点９は正常であるとして接点通電不良ではないと判断する。
【００２８】
不良検出手段１４は、電磁接触器１０の接点９が接点通電不良であると判断すると、制御手段１５に対して接点通電不良検出信号を出力する。これを受けて、制御手段１５は、接点通電不良を解消するための制御動作を行う。
【００２９】
（３）接点通電不良解消動作
次に、エレベータの制御装置による接点通電不良を解消するための接点通電不良解消動作について図５を参照して説明する。
図５は、接点通電不良解消動作時におけるブレーキ関連信号を示すタイムチャートである。図５において、接点通電不良解消動作のシーケンスにおける、接点開閉指令出力手段１２、接点開閉検出手段１３および電圧印加手段１１の動作を表す時間波形である。具体的には、（Ａ）接点開閉指令出力手段１２から電磁接触器１０に出力される接点９の接点開閉指令、（Ｂ）接点開閉検出手段１３の出力である、接点９の開閉状態を示す接点開閉検出信号、（Ｃ）コイル電流を通電するためにブレーキコイル部８と接点９との直列回路の両端に電圧を印加する電圧印加手段１１の電圧印加タイミングを決定する電圧印加指令である。
【００３０】
この接点通電不良解消動作は、電磁接触器１０の接点９においてアーク放電を発生し、このアーク放電により生成する熱を利用して、電磁接触器１０の接点９の表面に付着する粉塵を溶融し、蒸発することで効率良く短時間に除去する。
【００３１】
アーク放電は、機械的な接点で大電流を開閉するときに発生する現象であるため、電磁接触器１０の接点９の開閉と電圧印加手段１１の電圧印加のタイミングおよび接点９による開閉電流の大きさによりアーク放電の発生のし易さが決まる。
【００３２】
そこで、電圧印加手段１１でブレーキコイル部８と接点９との直列回路の両端に接点９でアーク放電を発生させるような第１の電圧を印加した状態で、制御手段１５からの指令に基づいて、接点開閉指令出力手段１２から出力される接点開閉指令に従って電磁接触器１０の接点９の開閉動作を行ってコイル電流を遮断または通電することによって接点９の開閉時に接点９でアーク放電を発生する。このアーク放電により生成する熱により電磁接触器１０の接点９の表面に付着する粉塵を除去することで、粉塵を効率良く短時間に除去することができる。
しかし、アーク放電が非常に大きなエネルギーを有する場合には、却って接点９の消耗や溶着などが生じる場合があるため、接点９による開閉電流が必要以上に大きくならないように、ブレーキコイル部８と接点９との直列回路の両端に印加する第１の電圧を制限する必要がある。つまり、接点９の表面の付着粉塵を効率良く除去できる適切な強さのアーク放電が得られる電圧値にブレーキコイル部８と接点９との直列回路の両端に印加する電圧値を設定する必要がある。
【００３３】
上述の説明を踏まえて、接点通電不良解消動作の具体的な手順を説明する。
接点開閉指令が閉のときに、不良検出手段１４が、接点９の通電不良と判断したとき、制御手段１５は、次に示す接点通電不良を解消する動作を開始する。
【００３４】
時刻Ｔ０で、電圧印加手段１１は、制御手段１５の指令に基づいて、ブレーキコイル部８と接点９との直列回路の両端に、接点９の表面の付着粉塵を効率良く除去できる適切な強さのアーク放電が得られる所定の第１の電圧を印加する。
時刻Ｔ１で、接点開閉指令出力手段１２は、電磁接触器１０に接点９の接点開閉指令としての閉指令を出力する。
時刻Ｔ２で、電磁接触器１０は、閉指令に応答して、接点９を閉鎖する。
【００３５】
図５の時刻Ｔ２における接点開閉検出信号は、時刻Ｔ２でアーク放電が発生し、このアーク放電により電磁接触器１０の接点９の表面に付着した粉塵を溶融し蒸発することにより、接点通電不良が解消されたことを示している。もし、接点通電不良が解消されなかった場合は、時刻Ｔ２以降の接点開閉検出信号はＬＯＷ（開）のままとなる。
【００３６】
続いて、時刻Ｔ２における接点通電不良の解消に関係なく、制御手段１５の指令に基づいて、電圧印加手段１１によりブレーキコイル部８と接点９との直列回路の両端に、接点９の表面の付着粉塵を効率良く除去できる適切な強さのアーク放電が得られる所定の第１の電圧を印加したままで、時刻Ｔ３で、接点開閉指令出力手段１２は、電磁接触器１０に接点９の接点開閉指令としての開指令を出力する。電磁接触器１０は、この開指令に応答して時刻Ｔ４で、接点９を開放する。このとき、アーク放電が発生し、もし時刻Ｔ２で接点通電不良が解消されなかった場合、このアーク放電により電磁接触器１０の接点９の表面に付着した粉塵を溶融し蒸発することにより、接点通電不良が解消される場合がある。
時刻Ｔ５で、制御手段１５の指令に基づいて電圧印加手段１１は、ブレーキコイル部８と接点９との直列回路の両端に印加されている第１の電圧の印加を停止する。
【００３７】
次に、接点通電不良を連続して検出した場合には、ブレーキコイル部８と接点９との直列回路の両端に印加する電圧を、以前の接点通電不良解消動作時の第１の電圧よりも高い第２の電圧に変更して、接点通電不良解消動作を再開する。
図６は、接点通電不良解消動作における初期化の手順を示す初期化ルーティンを示すフローチャートである。図７は、接点通電不良解消動作におけるメインの手順を示すメインルーティンを示すフローチャートである。
【００３８】
まず、初期化ルーティンの手順を説明する。
ステップＳ１１で、ブレーキコイル部８と接点９との直列回路の両端に印加する設定電圧値を予め定められた値とする。
ステップＳ１２で、接点通電不良検出回数を０とする。
ステップＳ１３で、接点通電不良検出回数の上限値を予め定められた所定の値として初期化ルーティンを終了する。
【００３９】
次に、メインルーティンの手順を説明する。
ステップＳ２１で、不良検出手段１４の結果から接点通電不良が検出されたか否かを判断し、接点通電不良が検出されないときステップＳ２９に進み、接点通電不良が検出されたときステップＳ２２に進む。
ステップＳ２２で、接点通電不良検出回数をインクリメントする。
ステップＳ２３で、接点通電不良検出回数が設定不良検出回数の上限値を超えているか否かを判断し、接点通電不良検出回数が上限値を超えているときにはステップＳ２８に進み、接点通電不良検出回数が上限値以下のときにはステップＳ２４に進む。
ステップＳ２４で、ブレーキコイル部８と接点９との直列回路の両端に設定電圧値の電圧を印加する。
【００４０】
ステップＳ２５で、電磁接触器１０の接点９を閉じてブレーキ手段６を開放し、接点９を閉じた時点から所定の時間経過後、接点９を開きブレーキ手段６を拘束する。
ステップＳ２６で、不良検出手段１４の結果から接点通電不良が検出されたか否かを判断し、接点通電不良が検出されないときステップＳ２９に進み、接点通電不良が検出されたときにはステップＳ２７に進む。
ステップＳ２７で、設定電圧値に予め定められた増分を加算して得られた値を設定電圧値として、ステップＳ２２に戻る。このように除々に増加した電圧を印加することにより、強いアーク放電が発生するので、接点９の表面の付着粉塵を効率良く除去できる適切な強さのアーク放電を発生することができる。
ステップＳ２８で、接点通電不良を解消することが不可能と判断しメインルーティンを終了する。
ステップＳ２９で、通常運行サービスを実行してメインルーティンを終了する。
【００４１】
なお、図６および図７のフローチャートに関連して説明しなかったが、報知手段１７は、不良検出手段１４にて接点通電不良を検出した回数や接点通電不良のイベント発生などの接点通電不良検出に関する情報を報知する。これにより、例えば、電磁接触器１０の接点９の寿命に関する情報を得ることができるので、保守員が次なる適切な作業、例えば、電磁接触器１０の交換や接点９のマニュアル保守などの作業を実施することができる。
【００４２】
この発明の実施の形態に係わるエレベータの制御装置は、不良検出手段１４により接点通電不良を検出した場合には、制御手段１５が、ブレーキコイル部８と接点９との直列回路の両端に第１の電圧を印加した状態で、接点９を開閉するので、接点９の開閉時に接点９でアーク放電が発生する。このアーク放電による生成熱によって接点９の付着粉塵が除去されるため、従来のエレベータの制御装置と比べて、付着粉塵の除去を効率良く短時間に行うことができる。
また、アーク放電による付着粉塵の除去は短時間で終了するため、従来のエレベータの制御装置では必要不可欠であったブレーキ開放阻止手段が不要となる。
【００４３】
なお、上述の説明では、不良検出手段１４を備えたエレベータの制御装置について説明したが、不良検出手段１４を備えない構成、すなわち、接点通電不良解消動作だけを実行する構成であっても良い。例えば、かご１が目的階に到着して停止する回数が予め定めた定数の乗数倍になる度に、乗客が乗っていないような深夜、月に一度などのような所定のタイミングで接点通電不良解消動作を実行する構成であっても、付着粉塵の除去を効率良く短時間に行うことができる。
【００４４】
また、第１の電圧を印加した後に、不良検出手段１４により接点通電不良を検出した場合に、制御手段１５は、ブレーキコイル部８と接点９との直列回路の両端に第１の電圧より高い第２の電圧を印加した状態で、接点９を開閉するので、この接点９の開閉時には、第１の電圧を印加した時に発生するアーク放電に比べてより強いアーク放電を発生することができる。この結果、第１の電圧を印加して接点９の開閉を繰り返す場合に比べて粉塵除去をさらに効率良く短時間に実行できる。
【図面の簡単な説明】
【００４５】
【図１】この発明の実施の形態に係わるエレベータの制御装置が配置されたエレベータ装置の構成を表すブロック図である。
【図２】この発明の実施の形態に係わるエレベータの制御装置の動作の概要を示すフローチャートである。
【図３】通常運行サービスにおけるブレーキ関連信号のタイムチャートである。
【図４】接点通電不良検出動作におけるブレーキ関連信号のタイムチャートである。
【図５】接点通電不良解消動作におけるブレーキ関連信号のタイムチャートである。
【図６】接点通電不良解消動作における初期化の手順を示す初期化ルーティンを示すフローチャートである。
【図７】接点通電不良解消動作におけるメインの手順を示すメインルーティンを示すフローチャートである。
【符号の説明】
【００４６】
１  かご、２  ロープ、３  釣り合い錘、４  シーブ、５  巻上電動機、６  ブレーキ手段、７  ブレーキ駆動手段、８  ブレーキコイル部、９  接点、１０  電磁接触器、１１  電圧印加手段、１２  接点開閉指令出力手段、１３  接点開閉検出手段、１４  不良検出手段、１５  制御手段、１７  報知手段、２１  可変電圧電源、２２  半導体スイッチ。
【図１】
2008213952.tif 000003
【図２】
2008213952.tif 000004
【図３】
2008213952.tif 000005
【図４】
2008213952.tif 000006
【図５】
2008213952.tif 000007
【図６】
2008213952.tif 000008
【図７】
2008213952.tif 000009